(57)【要約】【課題】取付時の手摺りの位置ズレ等が防止されており、クランプによる応力集中や浴槽側壁に対するねじり応力の発生も抑制された浴槽用手摺りを提供する。【解決手段】手摺り本体が取り付けられており、浴槽側壁の上面へ載置される載置部と浴槽側壁の一方の側面を押圧する押圧部が設けられた基部とを有している本体フレームと、前記本体フレームの上へスライド可能に取り付けられる補助フレームと、他方の側面へ当接される押圧受け部と、前記押圧部を前記押圧受け部へ向けて前進及び後退させるために前記本体フレームに取り付けられた移動装置を備えており、そして前記押圧受け部の上端は、前記押圧部の押圧面の中心よりも高い位置に配置されている浴槽用手摺りが提供される。【選択図】  図２
2019180680.tif 000002
【特許請求の範囲】
【請求項１】
手摺り本体が取り付けられており、そして浴槽側壁の上面へ載置される載置部と、前記載置部に連結されており浴槽側壁の一方の側面を押圧する押圧部が設けられている基部とを有している本体フレームと、
前記本体フレームの上へスライド可能に取り付けられる補助フレームと、
前記押圧部が押圧する浴槽側壁の側面とは反対側の他方の側面へ当接される押圧受け部と、
前記本体フレームに取り付けられており、そして前記押圧部を前記押圧受け部へ向けて前進及び後退させるための移動装置を備えており、そして
前記押圧受け部の上端は、前記押圧部の押圧面の中心よりも高い位置に配置されていることを特徴とする浴槽用手摺り。
【請求項２】
手摺り本体が取り付けられており、そして浴槽側壁の上面へ載置される載置部と、前記載置部に連結されており浴槽側壁の一方の側面を押圧する押圧部が設けられている基部とを有している本体フレームと、
前記本体フレームの上へスライド可能に取り付けられる補助フレームと、
前記押圧部が押圧する浴槽側壁の側面とは反対側の他方の側面へ当接される押圧受け部と、
前記本体フレームに取り付けられており、そして前記押圧部を前記押圧受け部へ向けて前進及び後退させるための移動装置を備えており、そして
前記押圧部の前記一方の側面との当接面の下端は、前記押圧受け部の前記他方の側面との当接面の下端よりも相対的に高い位置に配置されており、且つ
前記押圧部の前記一方の側面との当接面の上端は、前記押圧受け部の前記他方の側面との当接面の上端と同じ高さの位置に配置されていることを特徴とする浴槽用手摺り。
【請求項３】
前記押圧受け部の上端は、前記本体フレームの載置部の下面より下方５ｍｍより上側に配置されていることを特徴とする請求項１又は２に浴槽用手摺り。
【請求項４】
前記押圧部は前記移動装置のボルト軸に支承されており、前記押圧受け部は連結軸を介して前記補助フレームへ取り付けられており、そして前記連結軸は前記ボルト軸と対向するように配置されていることを特徴とする請求項１ないし３のいずれか１項に浴槽用手摺り。
【請求項５】
浴槽側壁の上面と当接する前記載置部の載置面の摩擦係数は、前記押圧部の押圧面の摩擦係数および／または前記押圧受け部の受け面の摩擦係数よりも小さいことを特徴とする請求項１ないし４のいずれか１項に記載の浴槽用手摺り。
【発明の詳細な説明】
【技術分野】
【０００１】
本発明は浴槽側壁の破壊が防止された浴槽側壁に優しいクランプ方式の浴槽用手摺りに関する。より具体的には、本発明は浴槽側壁の上面に載置し、洗い場側の押圧部を移動させることにより浴槽側壁をクランプして着脱自在に取り付けるタイプの浴槽用手摺りにおいて、特に押圧受け部の上端を押圧部の押圧面の中心よりも高い位置に配置することにより、押圧受け部が浴槽側壁に対し傾斜することによる応力集中や浴槽側壁に対するねじり応力の発生を抑制した浴槽用手摺りに関する。
【背景技術】
【０００２】
従来より、高齢者等が浴槽に出入りする際に身体を容易に支持することができるように、浴槽側壁を洗い場側及び浴槽側からクランプすることによって着脱自在に取り付けることができる浴槽用手摺りが知られている。
【０００３】
これらの浴槽用手摺りは、クランプ機構が、浴槽用手摺りがクランプする方向へ回転ないし転倒するのを防止する役目を果たすが、浴槽用手摺りがクランプする方向とは直交する方向へ回転ないし転倒するのを防止するための専用構造を有していない。このため、使用者が、浴槽用手摺り本体よりも上方に配置されるグリップへ水平方向の力を加えると、グリップを支持する支柱を介して浴槽用手摺り本体へ回転モーメントが働き、その結果、浴槽用手摺り本体が比較的容易に浴槽側壁上面上で回転したり転倒してしまうという問題があった。
【０００４】
また、浴槽には浴槽の内壁も外壁も一体となった強度部材から製作されており、その形状も立方体などの比較的単純な形状を有する従来型の浴槽から、浴槽のユニット化、高機能化、デザイン性の高度化などに伴い、浴槽の内壁は強度部材で製作されているが、浴槽のリム部以外の外壁は強度を有さない取り外し可能な化粧板（エプロン）で製作されており、そしてその形状もより複雑化した最新型のユニットバスまでの様々なタイプの浴槽が存在している。
【０００５】
このため、従来型の浴槽のように、浴槽の内壁も外壁も比較的強度を有する部材から製作された浴槽については、例えば特開２０１１−１８９０６９号公報（特許文献１）に記載されているように、略同じ当接面積を有し且つ略鏡面対称となるように対向して配置される押圧板及び押圧受け板によって、浴槽側壁を洗い場側及び浴槽側からクランプするタイプの浴槽用手摺りが提供されている。また、最新型のユニットバスのように、浴槽の内壁は強度を有するがリム部以外の外壁は強度を有していない浴槽に対しては、例えば特開２０１５−１７３６９９号公報（特許文献２）に記載されているように、洗い場側には強度を有する上部リム部のみに当接する上下方向に偏平した押圧部を配置し、そして浴槽側には押圧部よりも広い当接面積を有する押圧受け部を配置することによって、浴槽側壁を洗い場側及び浴槽側からクランプするタイプの浴槽用手摺りが提供されている。
【０００６】
しかしながら、特許文献２に記載の浴槽用手摺りでは、側壁載置フレームにスライド可能に取り付けられた可動フレームを動かした時、可動フレームに支持された押圧受け部が側壁載置フレームの水平片の端部と衝突して引っ掛からないようにするため、側壁載置フレームの水平片の底面との間にある程度の隙間を設ける必要がある。このため、特許文献２に記載の浴槽用手摺りでは、浴槽内壁を押圧する押圧受け部の上端若しくは浴槽側壁と当接する押圧受け部当接面の上端が、浴槽外壁の上部リム部を押圧する押圧部の上端若しくは浴槽側壁と当接する押圧部当接面の上端よりも低くなるため、押圧受け部の上端若しくは浴槽側壁と当接する押圧受け部当接面の上端が浴槽内壁を局部的に押圧し、応力集中が生じて浴槽内壁を破壊してしまうという問題があった。
【０００７】
また、特許文献１，２に記載の浴槽用手摺りは、押圧部を浴槽側壁へ押し付けると、浴槽側壁の上に直置きされた側壁載置フレームが浴槽側壁に対して相対的に移動するため、側壁載置フレームと浴槽側壁の上面との間に応力（摩擦力）を生じることになる。その結果、押圧部を浴槽側壁へ押し付けても側壁載置フレームが十分に移動することができず、ラバー等の弾性変形により、側壁載置フレームと浴槽側壁の上面との間に内部応力（摩擦力）が蓄積される結果、浴槽用手摺りや浴槽側壁を変形させたり或いは意図しない内部応力（摩擦力）の解放により、側壁載置フレームと浴槽側壁の上面との間でさらなる位置ズレが生じるという問題もあった。
【先行技術文献】
【特許文献】
【０００８】
【特許文献１】特開２０１１−１８９０６９号公報
【特許文献２】特開２０１５−１７３６９９号公報
【発明の概要】
【発明が解決しようとする課題】
【０００９】
そこで、本発明は、浴槽側壁の上面に載置し、洗い場側の押圧部を移動させることにより浴槽側壁をクランプして着脱自在に取り付けるタイプの浴槽用手摺りにおいて、特に強度を有するリム部の長さが短いユニットバスへの取り付けに適しており、そしてクランプによる応力集中や浴槽側壁に対するねじり応力の発生も抑制された浴槽用手摺りを提供することを目的とする。
【課題を解決するための手段】
【００１０】
本発明者等は、浴槽側壁をクランプする押圧部と押圧受け部の形状、相対的な位置関係、フレームに対する相対的な位置関係などについて鋭意検討した結果、上記の目的を達成するためには、押圧受け部の上端を押圧部の押圧面の中心よりも高い位置に配置するか、或いは少なくとも押圧部の浴槽側壁との当接面の上端を押圧受け部の浴槽側壁との当接面の上端と同じ高さの位置に配置することが最も効果的であることを見出し、本発明を完成させるに至った。
【００１１】
すなわち、本発明によれば、
手摺り本体が取り付けられており、そして浴槽側壁の上面へ載置される載置部と、前記載置部に連結されており浴槽側壁の一方の側面を押圧する押圧部が設けられている基部とを有している本体フレームと、
前記本体フレームの上へスライド可能に取り付けられる補助フレームと、
前記押圧部が押圧する浴槽側壁の側面とは反対側の他方の側面へ当接される押圧受け部と、
前記本体フレームに取り付けられており、そして前記押圧部を前記押圧受け部へ向けて前進及び後退させるための移動装置を備えており、そして
前記押圧受け部の上端は、前記押圧部の押圧面の中心よりも高い位置に配置されていることを特徴とする浴槽用手摺りが提供される。
【００１２】
本発明の浴槽用手摺りでは、押圧受け部の上端は、その全部又は一部が押圧部の押圧面の中心よりも高い位置に配置されていることが好ましい。
【００１３】
本発明では、押圧受け部の上端の全部又は一部が、押圧部の押圧面の中心よりも高い位置に配置されているので、押圧部の押圧面の中心や荷重点が押圧受け部の受け面からその領域外へ外れることにより生じる、浴槽側壁のねじり応力を効果的に抑制することができる。また、押圧部の押圧面の中心や荷重点が押圧受け部の受け面から外れることにより、押圧受け部の受け面が浴槽側壁に対して傾斜（回転）した状態で押圧することも防止されるので、押圧受け部の上端の縁部や角部が浴槽側壁を局部的に押圧する（応力集中を起す）ことも効果的に防止することができる。
【００１４】
ここで、押圧部の「押圧面の中心」とは、基本的に押圧面が浴槽側壁に及ぼす荷重の中心点（荷重点）を意味し、一般的には押圧部のボルト軸への取り付け位置と略一致する。しかしながら、押圧面の荷重点の位置は、押圧部の形状や剛性によっても変化するので、「押圧面の中心点」が押圧面の面積の中心または押圧面の重心を意味する場合もある。
【００１５】
また、本発明によれば、
手摺り本体が取り付けられており、そして浴槽側壁の上面へ載置される載置部と、前記載置部に連結されており浴槽側壁の一方の側面を押圧する押圧部が設けられている基部とを有している本体フレームと、
前記本体フレームの上へスライド可能に取り付けられる補助フレームと、
前記押圧部が押圧する浴槽側壁の側面とは反対側の他方の側面へ当接される押圧受け部と、
前記本体フレームに取り付けられており、そして前記押圧部を前記押圧受け部へ向けて前進及び後退させるための移動装置を備えており、そして
前記押圧部の前記一方の側面との当接面の下端は、前記押圧受け部の前記他方の側面との当接面の下端よりも相対的に高い位置に配置されており、且つ
前記押圧部の前記一方の側面との当接面の上端は、前記押圧受け部の前記他方の側面との当接面の上端と同じ高さの位置に配置されていることを特徴とする浴槽用手摺りが提供される。
【００１６】
本発明の浴槽用手摺りでは、押圧受け部の浴槽側壁（側面）との当接面の上端は、押圧部の浴槽側壁（側面）との当接面の上端と同じ高さの位置に配置されていることが好ましい。また、押圧部の上端が本体フレームの載置部の下面と接続しているような場合は、押圧受け部の上端は、好ましくは本体フレームの載置部の下面より下方８ｍｍよりも上側に、より好ましくは本体フレームの載置部の下面より下方５ｍｍより上側に配置されていればよい。
【００１７】
本発明では、押圧受け部の浴槽側壁（側面）との当接面の上端が押圧部の浴槽側壁（側面）との当接面の上端と同じ高さの位置に配置されているか、或いは押圧受け部の上端が本体フレームの載置部の下面より下方８ｍｍよりも上側に、より好ましくは該下面より下方５ｍｍよりも上側に配置されているので、押圧受け部の上端或いは押圧受け部の浴槽側壁（側面）との当接面上端の縁部や角部が浴槽内壁を局部的に押圧することがなくなる結果、応力集中による浴槽内壁の破壊を防止することができる。
【００１８】
なお、本願明細書において、押圧部の浴槽側壁（側面）との「当接面」とは、浴槽側壁（側面）と対向する押圧部の「押圧面」の内、クランプ時、実際に浴槽側壁（側面）と当接（接触）する面を意味し、押圧受け部の浴槽側壁（側面）との「当接面」とは、浴槽側壁（側面）と対向する押圧受け部の「受け面」の内、クランプ時、実際に浴槽側壁（側面）と当接（接触）する面を意味する。また、「押圧部」とは押圧面を支持する部材又は構造体を意味し、「押圧受け部」とは押圧受け面を支持する部材又は構造体を意味する。
【００１９】
本願明細書において、当接面の上端の「高さ」とは絶対的な高さを意味するのではなく、例えば本体フレームの載置部の下面から当接面上端までの距離のように、本体フレームのある部分を基準とした場合の当該部分に対する相対的な位置（高さ）を意味する。
【００２０】
また、本願明細書において、押圧部の当接面の上端と押圧受け部の当接面の上端が「同じ高さ」である態様とは、厳密な意味において同じ高さである必要はなく、例えば押圧部の当接面の上端と押圧受け部の当接面の上端とが互いに高さ方向に５ｍｍ程度ズレているような場合であっても、「同じ高さ」である態様として取り扱っている。
【００２１】
なぜなら、通常、ユニットバス等の浴槽側壁上面の縁部にはＲ（面取り）が施されているが、浴槽側縁部のＲ（面取り）と洗い場側縁部のＲ（面取り）の大きさが異なり、例えば浴槽側縁部のＲ（面取り）が洗い場側縁部のＲ（面取り）よりも大きい場合がある。このような浴槽側壁へ、同じ高さの上端を有する押圧部の押圧面と押圧受け部の受け面でクランプしても、押圧部の浴槽側壁（側面）との当接面の上端と押圧受け部の浴槽側壁（側面）との当接面の上端は、相対的に高さ方向に５ｍｍ程度ズレてしまうからである。
【００２２】
また、押圧受け部は、本体フレームにスライド可能に取り付けられた補助フレームを近づける時、本体フレームの載置部の端部と衝突して引っ掛からないようにし、且つある程度載置部の下面へ潜り込ませることができるように、載置部の下面との間に５ｍｍ程度の隙間を設ける必要もあるからである。
【００２３】
このように、本発明の浴槽用手摺りでは、押圧部の浴槽側壁（側面）との当接面の上端が押圧受け部の浴槽側壁（側面）との当接面の上端と実質的に同じ高さの位置に配置されていれば、浴槽用手摺りに回転モーメントを生じさせることなく浴槽側壁の内側外側において釣り合いのとれたクランプ状態を形成することができる。
【００２４】
本発明の浴槽用手摺りでは、押圧受け部の一方の浴槽側壁の側面との当接面の下端は、押圧部の他方の浴槽側壁の側面（押圧受け部が当接する浴槽側壁の側面とは反対側の側面）との当接面の下端よりも相対的に低い位置に配置されている。このため、本発明の浴槽用手摺りは、上部グリップへ浴槽側壁の厚み方向に沿って水平方向に力が加えられても、或いは浴槽側壁の内側及び外側のクランプ力（押圧力）の中心位置に偏心が生じていても、押圧部と押圧受け部からなるクランプ機構が、浴槽用手摺りが浴槽側壁の厚み方向へ回転ないし転倒するのを強力に阻止する役目を果たす。
【００２５】
さらに、本発明の浴槽用手摺りでは、浴槽側壁の上面と当接する載置部の下面（載置面）の摩擦係数を、押圧部の押圧面の摩擦係数および／または押圧受け部の受け面の摩擦係数よりも小さくすると、押圧部と押圧受け部により浴槽側壁を強力にクランプ（押圧）しても、本体フレームと浴槽側壁上面との間で生じる応力（摩擦力）を殆ど無視し得るほどに小さく抑えることができるので、より安定した取り付け状態を実現することができる。
【００２６】
本発明では、押圧部を押圧受け部へ向けて前進及び後退させるための移動装置は、本体フレームの基部へ回動可能に取り付けられたナットと、ナットを回動するためのハンドルノブと、そして先端部が押圧部に連結されており且つナットに螺合するボルト軸とから構成されており、さらに所定の力未満ではハンドルノブからナットへ回動力を伝達し、そして、所定の力以上ではハンドルノブからナットへの回動力の伝達を遮断するトルク伝達・遮断手段を含ませることができる。
【００２７】
また、上述のように押圧部がボルト軸によって支承されている場合、押圧受け部は連結軸を介して補助フレームへ取り付けられており、そして連結軸はボルト軸と対向するように配置されていてもよい。
【００２８】
押圧受け部が、押圧部を支承するボルト軸と対向するように連結軸を介して補助フレームへ取り付けられていると、基本的に押圧面の荷重の中心点（荷重点）が押圧受け面の反力の中心点（荷重点）と略一致することになるので、押圧受け部の上端の全部又は一部が押圧部の押圧面の中心よりも高い位置に配置されている態様となり、押圧部の押圧面の中心や荷重点が押圧受け部の受け面からその領域外へ外れることにより生じる、浴槽側壁のねじり応力を効果的に抑制することができる。
【００２９】
また、押圧受け部を連結軸によって支承する場合、押圧受け部は連結軸へ上下及び／又は左右方向に首振り可能に取り付けられていることが好ましい。押圧受け部を上下及び／又は左右方向に首振り可能に連結軸へ取り付けると、押圧受け面は浴槽側壁面に沿うように当接し、浴槽側壁面に対して傾いた状態でその上端の縁部や角部を押し付けることがなくなるので、応力集中による浴槽側壁の破壊を効果的に防止することができる。
【００３０】
また、移動装置をナット及びボルト軸によって構成すると、ボルト軸の螺進退により押圧部を押圧受け部に対して容易に近接又は離間させることができ、さらにその状態も確実に保持することができる。さらに、本発明では、ナットは本体フレームの基部へ回動可能に取り付けられており、ハンドルノブによってナットを回転することによりボルト軸及びその先端に取り付けられた押圧部が螺進退されるので、ハンドルノブの位置が基部に対して相対的に変化することがない。その結果、本発明では、浴槽用手摺り本体からハンドルノブが突出するのを抑制することができるので、使用者にとって極めて安全である。
【００３１】
さらに、本発明では、移動装置にトルク伝達・遮断手段を設けることができるので、使用者がハンドルノブを回して押圧部を押圧受け部へ向けて強力に押し込んでも浴槽側壁を破損することなく、浴槽用手摺りを必要にして十分なクランプ力（押圧力）に拠って浴槽側壁へ取り付けることができる。また、移動装置へ上述のトルク伝達・遮断手段を設けても、ハンドルノブの位置は本体フレームの基部に対して相対的に変化することがない。
【００３２】
本発明では、浴槽用手摺りの転倒防止や浴槽側壁からの脱落防止を強化するため、端部が床面と当接する脚部を本体フレームに取り付けてもよい。特に本発明の浴槽用手摺りを、強度を有するリム部の高さが低い浴槽側壁へ取り付ける場合、脚部を有していると、使用者により水平方向への荷重が加えられても、或いは浴槽側壁の内側及び外側のクランプ力（押圧力）の中心位置に偏心が生じていても、浴槽用手摺りが傾転又は転倒するのを効果的に防止することができる。
【００３３】
本発明の浴槽用手摺りでは、補助フレームを、本体フレームの載置部へ取り付ける水平部と、前記水平部に連結されており押圧受け部を取り付ける垂直部とから構成することで、垂直部が本体フレームの押圧部へ向けて近接離反するように、載置部に対する水平部の取付位置を選択できるようにすることが好ましい。例えば、本体フレームの載置部には１又は複数のネジ孔を設け、補助フレームの水平部には載置部のネジ孔の数以上の貫通孔又はスリットを設けることにより、補助フレームの水平部を本体フレームの載置部へ取付位置可変にビス止めすることができる。
【００３４】
例えば、本体フレームの載置部には１又は複数のネジ孔を設け、補助フレームの水平部にも１又は複数のネジ孔を設け、そして本体フレームの載置部と補助フレームの水平部を複数の貫通孔又はスリットが設けられた連結プレートで連結することより取付位置可変にビス止めできるようにしてもよい。
【００３５】
このように、補助フレームを本体フレームへ取付位置可変に装着できるようにすると、浴槽側壁の厚みに合わせて、予め本体フレームの押圧部と補助フレームの押圧受け部との間の距離をできるだけ近接させておくことができるので、浴槽側壁をクランプするために必要となる押圧部の移動距離を必要最小限に抑えることができるようになる。その結果、押圧部を押圧受け部へ向けて前進及び後退させるための移動装置自体の大きさをコンパクトすることができるというメリットがある。
【発明の効果】
【００３６】
本発明の浴槽用手摺りによれば、押圧受け部の上端の全部又は一部が、押圧部の押圧面の中心よりも高い位置に配置されているので、押圧部の押圧面の中心や荷重点が押圧受け部の受け面からその領域外へ外れることにより生じる、浴槽側壁のねじり応力を効果的に抑制することができる。また、押圧部の押圧面の中心や荷重点が押圧受け部の受け面から外れることにより、押圧受け部の受け面が浴槽側壁に対して傾斜（回転）した状態で押圧することも防止されるので、押圧受け部の上端の縁部や角部が浴槽側壁を局部的に押圧する（応力集中を起す）ことも効果的に防止することができる。
【００３７】
本発明の浴槽用手摺りによれば、押圧受け部の浴槽側壁（側面）との当接面の上端が押圧部の浴槽側壁（側面）との当接面の上端と同じ高さの位置に配置されているか、或いは押圧受け部の上端が本体フレームの載置部の下面より下方８ｍｍよりも上側に、より好ましくは該下面より下方５ｍｍよりも上側に配置されているので、押圧受け部の上端或いは押圧受け部の浴槽側壁（側面）との当接面上端の縁部や角部が浴槽内壁を局部的に押圧することがなくなる結果、応力集中による浴槽内壁の破壊を防止することができる。
【００３８】
本発明の浴槽用手摺りによれば、押圧受け部の浴槽側壁の側面との当接面の下端は、押圧部の浴槽側壁の側面との当接面の下端よりも相対的に低い位置に配置されているので、上部グリップへ浴槽側壁の厚み方向に沿って水平方向に力が加えられても、或いは浴槽側壁の内側及び外側のクランプ力（押圧力）の中心位置に偏心が生じていても、押圧部と押圧受け部からなるクランプ機構が、浴槽用手摺りが浴槽側壁の厚み方向へ回転ないし転倒するのを強力に阻止することができる。
【００３９】
また、本発明の浴槽用手摺りによれば、浴槽側壁の上面と当接する載置部の下面（載置面）の摩擦係数を、押圧部の押圧面の摩擦係数および／または押圧受け部の受け面の摩擦係数よりも小さくすることで、押圧部と押圧受け部により浴槽側壁を強力にクランプ（押圧）しても、本体フレームと浴槽側壁上面との間で生じる応力（摩擦力）を殆ど無視し得るほどに小さく抑えることができるので、浴槽用手摺りを極めて安定した状態で取り付けることができる。
【図面の簡単な説明】
【００４０】
【図１】本発明の一実施形態に係る浴槽用手摺りの全体概要図である。
【図２】図１に示される浴槽用手摺りの側面図である。
【図３】図２に示される浴槽用手摺りをボルト軸に沿って切り取った断面図である。
【発明を実施するための形態】
【００４１】
以下、本発明の一実施形態に係る浴槽用手摺りについて、図面を参照しながら詳細に説明する。なお、本発明は、以下に示される実施例に限定されるものではなく、本発明の技術的思想を逸脱しない範囲内で各種の変更が可能である。
【実施例】
【００４２】
図１，２及び３を用いて、本発明の一実施形態に係る浴槽用手摺り１の主な構成を説明する。図１には、本実施形態に係る浴槽用手摺り１の全体概要が示されており、図２には、本実施形態に係る浴槽用手摺り１の側面図が示されており、そして、図３には、本実施形態に係る浴槽用手摺り１をボルト軸に沿って切り取った断面図が示されている。
いる。
【００４３】
図１に示されているように、浴槽用手摺り１の基本的骨格は、浴槽側壁へ直接載置される本体フレーム２と、本体フレーム２へ着脱可能に取り付けられる補助フレーム３とからなる。また、本体フレーム２には、使用者の身体を支えるための手摺り本体４と、押圧部６を前進及び後退させるための移動装置８と、そして浴槽用手摺り１の傾転を防止するための脚部５が取り付けられている。一方、補助フレーム３には、浴槽内の使用者の動きを補助するための側部グリップ４０が取り付けられている。
【００４４】
また、移動装置８はナット８１を回転させるためのハンドルノブ８０を含んでおり、ナット８１の回転により螺進退されるボルト軸８２の先端には、矩形平面を有する板状の押圧部６が上下及び／又は左右方向に首振り自在に取り付けられている（図３参照）。このため、押圧部６の押圧面は浴槽側壁面に沿うように当接し、浴槽側壁面に対して傾いた状態でその上端の縁部や角部を押し付けることがなくなるので、応力集中による浴槽側壁の破壊を効果的に防止することができる。
【００４５】
また、押圧受け部７は、連結軸７１へ上下及び／又は左右方向に首振り可能に取り付けられているので、押圧受け面は浴槽側壁面に沿うように当接し、浴槽側壁面に対して傾いた状態でその上端の縁部や角部を押し付けることがなくなるので、応力集中による浴槽側壁の破壊を効果的に防止することができる。
【００４６】
本実施形態の浴槽用手摺り１では、着脱自在に装着可能な保護カバー２２，３２を用いて本体フレーム２および補助フレーム３を覆うことにより、凹凸部などの危険箇所を減らしたり、通常は操作不要な部位の誤操作を防止したりすると共に、視覚的に見栄えを良くして清潔にしている。
【００４７】
手摺り本体４は、平面視が略矩形のリング状の上部グリップ４１と、上部グリップ４１と連結されており、複数の固定孔（図示せず）が設けられている１対のグリップ支持部４２とを含んでおり、手摺り本体４は、グリップ支持部４２の固定孔へ本体フレーム２の挿入ピン（図示せず）を挿入することより任意の高さに固定することができる。
【００４８】
また、脚部５は、本体フレーム２へネジ止めされる主脚部５０と、主脚部５０の内部に設けられた雌ネジ部と螺合する雄ネジ部が外周面に設けられた補助脚部５１とから構成されている。脚部５は、主脚部５０に対してゴム盤付きの補助脚部５１を回転させることによりその長さを調節することができる。
【００４９】
本実施形態の浴槽用手摺り１は、浴槽側壁の上面へ載置される載置部２０が、載置部２０の幅方向において、グリップ支持部４２よりも外側へ向けて延びた延出部２３を有しているので、特に手摺り本体４の上部グリップ４１へ浴槽側壁の長手方向に沿って水平方向に力が加えられても、延出部２３が浴槽側壁上面と当接することにより手摺り本体４に働く回転モーメントを支えるため、浴槽用手摺り１が浴槽側壁上面上で浴槽側壁の長手方向へ回転したり転倒したりするのを強力に防止することができる。なお、本実施形態の浴槽用手摺り１では、上部グリップ４１へ浴槽側壁の厚み方向に沿って水平方向に力が加えられても、押圧受け部７及び押圧部６からなるクランプ機構が、浴槽用手摺り１が浴槽側壁の厚み方向へ回転ないし転倒するのを強力に阻止する役目を果たす。
【００５０】
図２，３に示されているように、本実施形態の浴槽用手摺り１の本体フレーム２は、浴槽側壁の上面へ載置される載置部２０と、載置部２０に連結されており、そして浴槽側壁の一方の側面を押圧する押圧部６及びその押圧部６を前進／後退させるための移動装置８が取り付けられた基部２１とを含んでおり、全体として下向きの略Ｌ字形の断面形状を有している。また、本体フレーム２の載置部２０の下面（載置面）には、浴槽側壁への傷付け防止および載置部２０の下面と浴槽側壁上面との間で生じる応力（摩擦力）低減を目的として弾性を有する樹脂ラバー２４が装着されている。
【００５１】
一方、補助フレーム３は、本体フレーム２の載置部２０へ着脱及びスライド可能に取り付けられる水平部３０と、そして水平部３０に連結されており、そして浴槽側壁と当接する押圧受け部７が取り付けられた垂直部３１とを含んでおり、全体として下向きの略Ｌ字形の断面形状を有している。
【００５２】
本実施形態の浴槽用手摺り１は、押圧受け部７の上端が押圧部６の押圧面の中心よりも高い位置に配置されている。
【００５３】
このため、本実施形態の浴槽用手摺り１では、押圧部６の押圧面の中心や荷重点が押圧受け部７の受け面からその領域外へ外れることにより生じる、浴槽側壁のねじり応力を効果的に抑制することができる。また、押圧部６の押圧面の中心や荷重点が押圧受け部７の受け面から外れることにより、押圧受け部７の受け面が浴槽側壁に対して傾斜（回転）した状態で押圧することも防止されるので、押圧受け部７の上端の縁部や角部が浴槽側壁を局部的に押圧する（応力集中を起す）ことも効果的に防止することができる。
【００５４】
また、本実施形態の浴槽用手摺り１では、押圧部６の押圧面の中心や荷重点が押圧受け部７の受け面からその領域外へ外れることがないので、浴槽用手摺りに回転モーメントを生じさせることなく浴槽側壁の内側外側において釣り合いのとれたクランプ状態を形成することができる。
【００５５】
なお、本実施形態において押圧部６の「押圧面の中心」とは、基本的に押圧面が浴槽側壁に及ぼす荷重の中心点（荷重点）を意味し、一般的には押圧部６のボルト軸８２への取り付け位置と略一致している。
【００５６】
本実施形態の浴槽用手摺り１では、押圧受け部７の浴槽側壁（側面）との当接面の上端が押圧部６の浴槽側壁（側面）との当接面の上端と同じ高さの位置に配置されている。ただし、押圧受け部７の当接面の上端と押圧部６の当接面の上端が「同じ高さ」である態様とは、厳密な意味において同じ高さである必要はなく、５ｍｍ程度の相対誤差を含む実質的に同じ高さであれば足りる。
【００５７】
なぜなら、ユニットバスの浴槽側壁は、通常、その上面の縁部にＲ（面取り）が施されているので、例えば、押圧部６の上端と押圧受け部７の上端が厳密な意味において同じ高さの位置に配置されていても、上述のようなＲ（面取り）が施された浴槽側壁を取り付けた状態では、押圧部６の浴槽側壁（側面）との当接面の上端と押圧受け部７の浴槽側壁（側面）との当接面の上端は、互いに高さ方向に５ｍｍ程度位置ズレを生じる場合があるからである。
【００５８】
また、本実施形態の浴槽用手摺り１では、押圧受け部７は、本体フレーム２にスライド可能に取り付けられた補助フレーム３を近づける時、本体フレーム２の載置部２０の端部と衝突して引っ掛からないようにし、且つある程度載置部２０の下面へ潜り込ませることができるように、載置部３０の下面との間に４ｍｍ程度の隙間が設けられている。
【００５９】
このように、本実施形態の浴槽用手摺り１は、押圧受け部７の上端を本体フレーム２の載置部２０の下面より下方８ｍｍよりも上側の約４ｍｍの位置に配置することにより、押圧受け部７の浴槽側壁（側面）との当接面の上端が押圧部６の浴槽側壁（側面）との当接面の上端と同じ高さとなるように配置しているので、押圧受け部７の当接面上端の縁部や角部が浴槽内壁を局部的に押圧することがなくなり、その結果、応力集中による浴槽内壁の破壊を防止することができる。なお、ここで「押圧受け部」とは、上述したように受け面を支持する部材又は構造体を意味するので、「押圧受け部の上端」とは受け面を支持する部材又は構造体の上端を意味し、「受け面」の上端を意味するものではない。
【００６０】
本実施形態の浴槽用手摺り１では、押圧受け部７の浴槽側壁の側面との当接面の下端は、押圧部６の浴槽側壁の側面との当接面の下端よりも相対的に低い位置に配置される。さらに、本実施形態の浴槽用手摺り１では、浴槽用手摺り１の転倒防止や浴槽側壁からの脱落防止を強化する目的で、ゴム盤付きの端部が床面と当接する脚部５が本体フレーム２に取り付けられている。このため、本実施形態の浴槽用手摺り１は、上部グリップ４１へ浴槽側壁の厚み方向に沿って水平方向に力が加えられても、或いは浴槽側壁の内側及び外側のクランプ力（押圧力）の中心位置に偏心が生じていても、押圧部６と押圧受け部７からなるクランプ機構が、浴槽用手摺りが浴槽側壁の厚み方向へ回転ないし転倒するのを強力に阻止する役目を果たす。
【００６１】
さらに、本実施形態の浴槽用手摺り１では、浴槽側壁の上面と当接する載置部２０の載置面（樹脂ラバー２４）の摩擦係数を、押圧部６の押圧面（樹脂ラバー６０）の摩擦係数および／または押圧受け部７の受け面（樹脂ラバー７０）の摩擦係数よりも小さくしているので、押圧部６と押圧受け部７により浴槽側壁を強力にクランプ（押圧）しても、本体フレーム２と浴槽側壁上面との間で生じる応力（摩擦力）を殆ど無視し得るほどに小さく抑えることができ、より安定した取り付け状態を実現することができる。
【００６２】
本実施形態の浴槽用手摺り１では、補助フレーム３の水平部３０には、そのスライド方向に沿って５つ貫通孔３００が設けられており、本体フレーム２の載置部２０には、補助フレーム３の貫通孔３００と整列する２つのネジ孔２００が設けられている。このため、補助フレーム３は、その垂直部３１が本体フレーム２の押圧受け部７及び基部２１へ向けて近接離反できるように、載置部２０に対する水平部３０の取付位置を任意に選択し、ネジ３３により本体フレーム２へビス止めすることができる。
【００６３】
このように、本実施形態の浴槽用手摺り１は、補助フレーム３の水平部３０を本体フレーム２の載置部２０へ取付位置を変更可能に装着することができるので、浴槽側壁の厚みに合わせて、予め本体フレーム２の基部２１及び押圧部６と、補助フレーム３の垂直部３１及び押圧受け部７との間の距離をできるだけ近接させておくことが可能となり、その結果、浴槽側壁をクランプするために必要となる押圧部６の移動距離を必要最小限に抑えることができるようになる。また、押圧部６を押圧受け部７へ向けて前進及び後退させるためのボルト軸の長さなど移動装置８自体の大きさをコンパクトにすることができる。
【００６４】
本実施形態の浴槽用手摺り１では、押圧部６を押圧受け部７へ向けて前進及び後退させるための移動装置８は、本体フレーム２の基部２１へ回動可能に取り付けられたナット８１と、ナット８１を回動するためのハンドルノブ８０と、そして先端部が押圧部６に連結されており且つナット８１に螺合するボルト軸８２とから構成されており、さらに所定の力未満ではハンドルノブ８０からナット８１へ回動力を伝達し、そして、所定の力以上ではハンドルノブ８０からナット８１への回動力の伝達を遮断するトルク伝達・遮断手段８３が含まれている。
【００６５】
本実施形態では、移動装置８はナット８１及びボルト軸８２によって構成されているので、ボルト軸８２の螺進退により押圧部６を押圧受け部７に対して容易に近接又は離間させることができ、さらにその状態も確実に保持することができる。さらに、本実施形態では、ナット８１は本体フレーム２の基部２１へ回動可能に取り付けられており、ハンドルノブ８０によってナット８１を回転することによりボルト軸及びその先端に取り付けられた押圧部６が螺進退されるので、ハンドルノブ８０の位置が基部２１に対して相対的に変化することがない。その結果、本実施形態では、浴槽用手摺り１からハンドルノブ８０が突出するのを抑制することができるので使用者にとって安全である。
【００６６】
さらに、本実施形態の移動装置８はトルク伝達・遮断手段８３を備えているので、使用者がハンドルノブ８０を回して押圧部６を押圧受け部７へ向けて強力に押し込んでも浴槽側壁を破損することなく、本実施形態の浴槽用手摺り１を必要にして十分なクランプ力（押圧力）をもって浴槽側壁へ取り付けることができる。また、押圧部６の移動装置８へ上述のトルク伝達・遮断手段８３を設けても、ハンドルノブ８０の位置は本体フレーム２の基部２１に対して相対的に変化することがない。
【符号の説明】
【００６７】
１・・・・・浴槽用手摺り
２・・・・・本体フレーム
２０・・・・載置部
２００・・・ネジ孔
２１・・・・基部
２２・・・・保護カバー
２３・・・・延出部
２４・・・・樹脂ラバー
３・・・・・補助フレーム
３０・・・・水平部
３００・・・貫通孔
３１・・・・垂直部
３２・・・・保護カバー
３３・・・・ネジ
４・・・・・手摺り本体
４０・・・・側部グリップ
４１・・・・上部グリップ
４２・・・・グリップ支持部
５・・・・・脚部
５０・・・・主脚部
５１・・・・補助脚部
６・・・・・押圧部
６０・・・・樹脂ラバー
７・・・・・押圧受け部
７０・・・・樹脂ラバー
８・・・・・移動装置
８０・・・・ハンドルノブ
８１・・・・ナット
８２・・・・ボルト軸
８３・・・・トルク伝達・遮断手段
【図１】
2019180680.tif 000003
【図２】
2019180680.tif 000004
【図３】
2019180680.tif 000005